(57)【要約】 【課題】  社員や職員が携帯する名札ホルダーに記載される個人情報のうち、部・課名等の所属名が変わったときに、簡単に所属名の表示を変えることができる名札装置を提供する。【解決手段】  可撓性を有する透明又は半透明の合成樹脂からなるホルダー本体１に、名札カード１４を収容する名札カード収容部２と、所属カード１５を収容する所属カード収容部５とを設け、所属カード１５に所属名をコンピュータに接続されたプリンターにより印字するようにしてある。【選択図】    図１
0003103675.tif 000002
【実用新案登録請求の範囲】
【請求項１】
可撓性を有する透明又は半透明の合成樹脂からなるホルダー本体に、名札カードを収容する名札カード収容部と、所属カードを収容する所属カード収容部とを設け、所属カードに所属名をコンピュータに接続されたプリンターにより印字するようにした名札装置。
【請求項２】
前記所属カードが定型サイズ又は非定型サイズの用紙からなり、該用紙の所定位置に所属名を印字し、前記所属カード収容部に収容可能なサイズに切り離し可能にした請求項１に記載の名札装置。
【請求項３】
前記用紙に切り離し容易なミシン目を設けた請求項２に記載の名札装置。
【請求項４】
前記ミシン目がマイクロミシン目である請求項３に記載の名札装置。
【請求項５】
前記コンピュータに所属名を入力する入力手段と、所属名を用紙の所定位置に印字する印字手段とからなるプログラムを記録したコンピュータ読み取り可能な記録媒体を備えた請求項１乃至４のいずれかに記載の名札装置。
【請求項６】
前記名札カード収容部に名札カードを備えた請求項１乃至５のいずれかに記載の名札装置。
【請求項７】
前記名札カードが身分証明カードである請求項６に記載の名札装置。
【請求項８】
前記ホルダー本体にクリップ又は／及び紐を設けた請求項１乃至７のいずれかに記載の名札装置。
【請求項９】
前記名札カード収容部が名札カード挿入口を有するポケット状をなし、前記名札カード挿入口を覆うカバー体を設けた請求項１乃至８のいずれかに記載の名札装置。
【請求項１０】
前記ホルダー本体とカバー体を接合する接合部が、前記名札カード収容部に収容された名札カードを保持するようにした請求項９に記載の名札装置。
【請求項１１】
前記名札カード挿入口の両端の近傍に切欠部を設けた請求項９又は１０に記載の名札装置。
【請求項１２】
前記名札カード収容部に名札カード取出用窓を設けた請求項１乃至１１のいずれかに記載の名札装置。
【考案の詳細な説明】
【技術分野】
【０００１】
本考案は、身分証・社員証・職員証等の名札カードを収容して携帯することができる名札装置に関する
【背景技術】
【０００２】
従来、企業・官公庁・学校・催事場等において、社員や職員に身分証・社員証・職員証等の名札カードを名札ホルダーに収容して携帯させ、本人確認のために利用されている。
この名札ホルダーとしては、個人情報が書き込まれた名札やＩＤカードを収容する透明なカード収容部と、衣服への吊下げ用クリップを備えたものが知られている（特許文献１参照）。名札ホルダーに収容する名札やＩＤカードには、目視にて個人情報を確認することができるように、名前と共に部・課名等の所属を印刷している。
【特許文献１】特開平７−３２００１２号公報
【考案の開示】
【考案が解決しようとする課題】
【０００３】
しかし、従来の名札ホルダーでは、名札やＩＤカードに名前等の不変的な情報と共に、部・課名等の所属名も一緒に印刷されているために、所属名が変更になったり、社員や職員が所属を移ったりする毎に、新しく名札やＩＤカード全体を作り直す必要があり、煩雑であると共にコストが嵩むという課題があった。
【０００４】
そこで、本考案は、社員や職員が携帯する名札ホルダーに記載される個人情報のうち、部・課名等の所属名が変わったときに、簡単に所属名の表示を変えることができる名札装置を提供するものである。
【課題を解決するための手段】
【０００５】
本考案は、上記課題を解決するために、可撓性を有する透明又は半透明の合成樹脂からなるホルダー本体に、名札カードを収容する名札カード収容部と、所属カードを収容する所属カード収容部とを設け、所属カードに所属名をコンピュータに接続されたプリンターにより印字するようにした名札装置を提供するものである。
【０００６】
また、本考案は、前記所属カードが定型サイズ又は非定型サイズの用紙からなり、該用紙の所定位置に所属名を印字し、前記所属カード収容部に収容可能なサイズに切り離し可能にした請求項１に記載の名札装置を提供するものである。
【０００７】
また、本考案は、前記用紙に切り離し容易なミシン目を設けた請求項２に記載の名札装置を提供するものである。
【０００８】
また、本考案は、前記ミシン目がマイクロミシン目である請求項３に記載の名札装置を提供するものである。
【０００９】
また、本考案は、前記コンピュータに所属名を入力する入力手段と、所属名を用紙の所定位置に印字する印字手段とからなるプログラムを記録したコンピュータ読み取り可能な記録媒体を備えた請求項１乃至４のいずれかに記載の名札装置を提供するものである。
【００１０】
また、本考案は、前記名札カード収容部に名札カードを備えた請求項１乃至５のいずれかに記載の名札装置を提供するものである。
【００１１】
また、本考案は、前記名札カードが身分証明カードである請求項６に記載の名札装置を提供するものである。
【００１２】
また、本考案は、前記ホルダー本体にクリップ又は／及び紐を設けた請求項１乃至７のいずれかに記載の名札装置を提供するものである。
【００１３】
また、本考案は、前記名札カード収容部が名札カード挿入口を有するポケット状をなし、前記名札カード挿入口を覆うカバー体を設けた請求項１乃至８のいずれかに記載の名札装置を提供するものである。
【００１４】
また、本考案は、前記ホルダー本体とカバー体を接合する接合部が、前記名札カード収容部に収容された名札カードを保持するようにした請求項９に記載の名札装置を提供するものである。
【００１５】
また、本考案は、前記名札カード挿入口の両端の近傍に切欠部を設けた請求項９又は１０に記載の名札装置を提供するものである。
【００１６】
また、本考案は、前記名札カード収容部に名札カード取出用窓を設けた請求項１乃至１１のいずれかに記載の名札装置を提供するものである。
【考案の効果】
【００１７】
本考案に係る名札装置によれば、可撓性を有する透明又は半透明の合成樹脂からなるホルダー本体に、名札カードを収容する名札カード収容部と、所属カードを収容する所属カード収容部とを設け、所属カードに所属名をコンピュータに接続されたプリンターにより印字するようにした構成を有することにより、不変的な個人情報を記載した名札カードとは別に、所属カードに部・課名等の所属名をコンピュータに接続されたプリンターにより印字するようにしたから、所属名カードを簡単に作成することができ、所属名が変更になったときには新しい所属カードを作成することによって簡単に所属名の表示を変えることができる効果がある。
【００１８】
また、本考案は、前記所属カードが定型サイズ又は非定型サイズの用紙からなり、該用紙の所定位置に所属名を印字し、前記所属カード収容部に収容可能なサイズに切り離し可能にした請求項１に記載の構成を有することにより、大きさの小さい所属カードも一般のプリンターで印字可能なサイズの用紙を使用することにより、一般のプリンターで所属名を印字することができる効果がある。
【００１９】
また、本考案は、前記用紙に切り離し容易なミシン目を設けた請求項２に記載の構成を有することにより、カッターや鋏を使用することなく、所属カードを用紙から簡単に切り離すことができる効果がある。
【００２０】
また、本考案は、前記ミシン目がマイクロミシン目である請求項３に記載の構成を有することにより、所属名の印字時にミシン目がプリンターに引っ掛かる恐れを軽減することができるのみならず、より小さい力で所属カードを用紙から切り離すことができる効果がある。
【００２１】
また、本考案は、前記コンピュータに所属名を入力する入力手段と、所属名を用紙の所定位置に印字する印字手段とからなるプログラムを記録したコンピュータ読み取り可能な記録媒体を備えた請求項１乃至４のいずれかに記載の構成を有することにより、コンピュータに所属名を入力するという簡単な操作によって、所属カードの配置された用紙の所定位置に印字される所属名を自動的に合わせて印字することができる効果がある。
【００２２】
また、本考案は、前記名札カード収容部に名札カードを備えた請求項１乃至５のいずれかに記載の構成を有することにより、名札カードによって社員や職員等の個人情報を表示することができる効果がある。
【００２３】
また、本考案は、前記名札カードが身分証明カードである請求項６に記載の構成を有することにより、名札カードによって社員や職員等の身分を証明することができる効果がある。
【００２４】
また、本考案は、前記ホルダー本体にクリップ又は／及び紐を設けた請求項１乃至７のいずれかに記載の構成を有することにより、ホルダー本体をクリップによって衣服に取り付けたり、首から吊下げたりすることができる効果がある。
【００２５】
また、本考案は、前記名札カード収容部が名札カード挿入口を有するポケット状をなし、前記名札カード挿入口を覆うカバー体を設けた請求項１乃至８のいずれかに記載の構成を有することにより、カバー体が名札カード挿入口を覆って、名札カード収容部に収容した名札カードが脱落したり、水や埃によって汚損されたりするのを防止することができる効果がある。
【００２６】
また、本考案は、前記ホルダー本体とカバー体を接合する接合部が、前記名札カード収容部に収容された名札カードを保持するようにした請求項９に記載の構成を有することにより、ホルダー本体とカバー体を接合した簡単な構成によって、名札カードを保持して名札カード収容部から脱落することを阻止することができる効果がある。
【００２７】
また、本考案は、前記名札カード挿入口の両端の近傍に切欠部を設けた請求項９又は１０に記載の構成を有することにより、ホルダー本体を湾曲させると切欠部と切欠部の間の名札カード挿入口が大きく開口するから、名札カードを名札カード収容部に容易に挿入したり取り出したりすることができる効果がある。
【００２８】
また、本考案は、前記名札カード収容部に名札カード取出用窓を設けた請求項１乃至１１のいずれかに記載の構成を有することにより、名札カード取出用窓から名札カードを取出操作して、名札カードを名札カード収容部から容易に取り出しすることができる効果がある。
【考案を実施するための最良の形態】
【００２９】
本考案の実施の形態を図示する実施例に基づいて説明する。
本考案に係る名札装置は、可撓性を有する透明又は半透明の合成樹脂からなるホルダー本体１に、名札カード１４を収容する名札カード収容部２と、所属カード１５を収容する所属カード収容部５とを設け、所属カード１５に所属名をコンピュータに接続されたプリンターにより印字するようにしてある。
【実施例１】
【００３０】
図１乃至図４に示す実施例において、ホルダー本体１は、ポリエチレン（ＰＥ）やポリプロピレン（ＰＰ）等の軟質オレフィン系樹脂シートからなる。ホルダー本体１に非塩ビ素材を使用したことにより、ホルダーを使用後に焼却処理した場合でも、有害な塩化水素ガスやダイオキシン類が発生しない。
【００３１】
図１乃至図４に示す実施例において、名札カード収容部２は、名札カード挿入口３を有するポケット状をなし、名札カード挿入口３を覆うカバー体４を設けてある。
図３及び図４に示すように、ホルダー本体１の裏側には、ホルダー本体１と同じ幅で高さの低い名札カード収容シート１１を設け、該名札カード収容シート１１の左右端部と下側端部の接合部１３ａにおいてホルダー本体１に溶着して、ポケット状の名札カード収容部２を構成してあり、名札カード収容部２の上側は、開口して名札カード挿入口３を構成してある。実施例では、名札カード収容部２は、名札カード１４（８６×５４ｍｍ）を最適寸法で収容することができるように、外形寸法で幅９５ｍｍに形成してある。また、名札カード収容部２の高さは、名札カード１４の高さより少し低くして、収容した名札カード１４の上部が名札カード収容部２から露出するようにしてある。また、名札カード収容シート１１は、ホルダー本体１と同様に軟質オレフィン系樹脂シートからなる。
【００３２】
図３に示すように、名札カード収容シート１１には、名札カード挿入口３の両端の近傍で、収容される名札カード１４の両端部に相当する部分に切欠部７，７を設けてあり、名札カード収容部２の上部において、ホルダー本体１側を名札カード収容シート１１と分かれて外側に湾曲させて、名札カード挿入口３を大きく開くことができるように構成してある。
【００３３】
また、図２及び図４に示すように、ホルダー本体１の裏側の上部には、所属カード収容シート１２を設けてあり、該所属カード収容シート１２の下部が名札カード収容シート１１の上部と重なるようにしてある。所属カード収容シート１２は、上部をコ字状の接合部１３ｂ，１３ｃでホルダー本体１に溶着してあり、横長の袋状の所属カード収容部５を構成してある。図２において、所属カード収容部５の左側は、開口して所属カード挿入口６を構成してある。所属カード挿入口６は、ホルダー本体１の端部より内側に設けてあり、図６に示すように、所属カード挿入口６の外側のホルダー本体１が所属カード１５を案内して所属カード収容部５に挿入することができるように構成してある。また、所属カード収容シート１２は、ホルダー本体１と同様に軟質オレフィン系樹脂シートからなる。
【００３４】
また、所属カード収容シート１２は、所属カード収容部５の下端側接合部１３ｃの下側が、カバー体４を構成してある。図示の実施例では、カバー体４を所属カード収容部５と一体的に構成してあるから、所属カード収容部５を掴んでホルダー本体１の上部を表側（図４の左方向）に湾曲させることによって、カバー体４を名札カード挿入口３から容易に外すことができる。
図示の実施例において、接合部１３ｃは、名札カード収容部２に収容した状態の名札カード１４の上端より少し上側に設けてあり、名札カード収容部２から露出した名札カード１４の上部を接合部１３ｃの接合力によってホルダー本体１とカバー体４で挟むことにより保持することができるように構成してある。
【００３５】
図２において、８は名札カード取出用窓であり、名札カード収容シート１１に楕円形の孔を空けて、名札カード収容部２に収容した名札カード１４を押出すことができるように構成してある。なお、名札カード１４を雨滴や埃から保護する必要がある場合には、名札カード取出用窓８を設けないで、名札カード収容部２を塞いだ構成にすることも勿論可能である。
【００３６】
また、図１に示すように、ホルダー本体１には、所属カード収容部５の上側に吊下げ部１７を設けてある。吊下げ部１７には、中央部に横長形状の取付孔９を設け、該取付孔９を挟んで左右対称な位置に円形の取付孔１０を設けてある。
図示の実施例において、取付孔９には、ベルト１６を介してクリップ１８を取り付けてあり、クリップ１８を例えば衣服の胸ポケットに留めて、ホルダー本体１を胸に吊下げることができるようにしてある。更に、クリップ１８には紐１９を設けてあり、首から吊下げてホルダー本体１を携帯することもできる。また、取付孔１０に紐を通して、この紐によりホルダー本体１を吊下げて携帯することも可能である。
【００３７】
図７に示すように、名札カード１４には、社員又は職員等の名前や顔写真等の個人情報を記載してあり、ホルダー本体１の名札カード収容部２に収容した状態で個人情報を目視により確認することができるようにしてある。また、名札カード１４には、身分証明カードを使用することもできる他、磁気式ＩＤカードやＩＣチップを備えたカードを使用することによってカード読取機により本人確認を行うようにすることも可能である。
【００３８】
図５に示すように、所属カード１５は、例えばＡ４の定型サイズの用紙２０に、ミシン目２１で所属カード収容部５に収容可能なサイズに切り離し可能に配列して設けてある。所属カード１５は、用紙２０のミシン目２１で囲まれた所定位置に所属名を印字し、用紙２０から切り離すことにより、図６に示すように、ホルダー本体１の所属カード収容部５に収容して使用することができる。ミシン目２１は、用紙２１からの切り離しが容易で印字時にプリンターに引っ掛かり難いから、マイクロミシン目であることが好ましい。
【００３９】
また、図示しないが、本考案に係る名札装置には、コンピュータに所属名を入力する入力手段と、所属名を用紙２０の所定位置に印字する印字手段とからなるプログラムを記録したコンピュータ読み取り可能な記録媒体を備えてある。入力手段により所属名を入力した後、印字手段により用紙２０のサイズを選択することにより、図５に示すように、所属名を用紙２０の所定位置に印字することができるようにしてある。また、印字される所属名は、１枚の用紙に複数の所属名を指定することも可能である。
また、入力された所属名をデータベース化して、データベースの中から所属名を選択して印字するようにすることも可能である。なお、上記プログラムは、文書作成ソフトのマクロ機能を使用した構成とすることも可能である。
【００４０】
次に、実施例１に示す名札装置の作用について説明する。
図６に示すように、所属カード収容部５には、部・課名等の所属名の表示を印刷した所属カード１５を収容することができ、名札カード１４のこれらの表示を省略することができる。従って、部・課名等の所属名の表示を変える場合には、コンピュータから新しい所属名を入力し、図５に示すように、このコンピュータに接続されたプリンターから用紙２０に新しい所属名を印字し、用紙２０から切り離した所属カードを所属カード収容部５に収容することによって、容易に部・課名等の所属名を変更することができる。
【００４１】
また、図７に示すように、カバー体４を開いて名札カード挿入口３を開放することにより、個人情報を印刷した名札カード１４を名札カード収容部２に容易に挿入することができる。そして、名札カード１４を名札カード収容部２の奥まで挿入してカバー体４を元の位置に戻すことにより、名札カード収容部２から露出する名札カード１４の上部を、接合部１３ｃの接合力によってホルダー本体１とカバー体４の間に挟んで保持することによって、名札カード１４を名札カード収容部２に確実に収容することができる。
【図面の簡単な説明】
【００４２】
【図１】本考案名札装置の一実施例を示す正面図
【図２】その一実施例を示す背面図
【図３】その一実施例の要部を示す背面図
【図４】その一実施例を示す縦断面図
【図５】その一実施例の要部を示す説明図
【図６】その一実施例の使用状態を示す正面図
【図７】その一実施例の使用状態を示す背面図
【符号の説明】
【００４３】
１  ホルダー本体
２  名札カード収容部
３  名札カード挿入口
４  カバー体
５  所属カード収容部
６  所属カード挿入口
７  切欠部
８  名札カード取出用窓
９，１０  取付孔
１１  名札カード収容シート
１２  所属カード収容シート
１３ａ，１３ｂ，１３ｃ  接合部
１４  名札カード
１５  所属カード
１６  ベルト
１７  吊下げ部
１８  クリップ
１９  紐
２０  用紙
２１  ミシン目
【図１】
0003103675.tif 000003
【図２】
0003103675.tif 000004
【図３】
0003103675.tif 000005
【図４】
0003103675.tif 000006
【図５】
0003103675.tif 000007
【図６】
0003103675.tif 000008
【図７】
0003103675.tif 000009